(57)【要約】【課題】  時間的に変化する光パターンを発光する撮影対象に対して撮影機能を制限する。【解決手段】  ＣＰＵは、Ｓ１で、光パターン認識部から入力した光パターンのパケットデータから制御ＩＤを取得し、Ｓ２で操作部の撮影ボタンが押されたか否かを判断し、撮影ボタンが押されたら、Ｓ３で、上記取得した制御ＩＤが撮影機能を制限する内容か否かを判断し、制御ＩＤが撮影機能を制限する内容ならば、Ｓ５で、制御ＩＤによって示される撮影機能を利用できなくして撮影を制限する撮影機能制限処理を実行し、Ｓ６で、液晶表示部にパケットデータの表示データに基づくメッセージを表示し、この処理を終了する。【選択図】        図３
2009177254.tif 000002
【特許請求の範囲】
【請求項１】
入射した光をそれぞれ電気信号に変換する第１の光電変換手段と第２の光電変換手段と、前記第１の光電変換手段によって変換された電気信号から撮影データを取得する撮影データ取得手段と、該撮影データ取得手段によって取得した撮影データを記憶媒体に記憶する記憶手段と、前記第２の光電変換手段によって変換された電気信号から時間的に変化する光パターンを認識する光パターン認識手段と、該光パターン認識手段によって認識した光パターンに基づいて撮影機能を制限する撮影機能制限手段とを備えたことを特徴とする撮影装置。
【請求項２】
撮影対象の発光物から発光される光を受光する受光手段と、該受光手段によって受光した光を光束分割して前記第１の光電変換手段と前記第２の光電変換手段にそれぞれ入射させる光束分割手段を設けたことを特徴とする請求項１記載の撮影装置。
【請求項３】
前記撮影機能制限手段は、前記撮影データ取得手段による撮影データの取得を無効にする手段であることを特徴とする請求項１又は２記載の撮影装置。
【請求項４】
前記撮影機能制限手段は、前記記憶手段による記憶媒体への撮影データの記憶を行わせないようにする手段であることを特徴とする請求項１又は２記載の撮影装置。
【請求項５】
前記撮影機能制限手段による撮影機能の制限内容を表示する表示手段を設けたことを特徴とする請求項１乃至４のいずれか一項に記載の撮影装置。
【請求項６】
前記撮影機能制限手段に、撮影時のフラッシュの発光を禁止する手段を設けたことを特徴とする請求項１乃至５のいずれか一項に記載の撮影装置。
【発明の詳細な説明】
【技術分野】
【０００１】
この発明は、デジタルスチルカメラ、デジタルビデオカメラ、そのデジタルスチルカメラ又はデジタルビデオカメラによる撮影手段を内蔵した携帯通信端末装置を含む撮影装置に関する。
【背景技術】
【０００２】
近年、デジタル技術の発展により、デジタルスチルカメラ（以下、「デジタルカメラ」という）、及びデジタルビデオカメラ、そのデジタルスチルカメラ又はデジタルビデオカメラによる撮影手段を内蔵した携帯通信端末装置を含む撮影装置は、撮影画像の高画質化と装置の小型化が進み、ユーザは様々な場面において容易に高画質な画像を手軽に撮影することができるようになった。
そこで、撮影装置の特定の使用者以外の操作による誤作動や盗難を抑止するための技術として、撮影を制限する使用者の特徴情報を予め記憶させておき、使用者が撮影開始ボタンを触る瞬間にその使用者の特徴情報を読み取り、その読み取った使用者の特徴情報が予め記憶されている撮影を制限する使用者の特徴情報と一致したときには装置の使用を制限する撮影装置（例えば、特許文献１参照）があった。
【０００３】
ところで、撮影装置が手軽に利用されることに伴って、ユーザが、映画の画像と映像、液晶ディスプレイに表示された画像と映像、企業発表の内容が投影されたプロジェクタ投影画像を含む撮影禁止の映像及び画像を、無断で撮影してしまったり、禁止されていることに気付かずにうっかり撮影してしまう恐れがある。
例えば、図６に示すように、リアプロジェクタ３０に撮影が禁止されている画像３１が表示されている時に、デジタルカメラ３２で撮影することが考えられる。
従来、撮影制限区域内に設けた赤外光発生手段から照射される赤外光を検知すると、その撮影制限区域内での撮影に関する動作を制限する撮影装置（例えば、特許文献２参照）があった。
【特許文献１】特開２００３−２１６２６３号公報
【特許文献２】特開２００５−３３３４８２号公報
【発明の開示】
【発明が解決しようとする課題】
【０００４】
しかしながら、上述した撮影制限区域内での撮影を制限する撮影装置では、赤外光を検知した撮影制限区域内での撮影を一切できなくしてしまうので、撮影制限区域内でも撮影禁止の画像及び映像以外の撮影を許可しようとしてもできないという問題があった。
この発明は上記の点に鑑みてなされたものであり、時間的に変化する光パターンを発光する撮影対象に対して撮影機能を制限することを目的とする。
【課題を解決するための手段】
【０００５】
この発明は上記の目的を達成するため、次の撮影装置を提供する。
（１）入射した光をそれぞれ電気信号に変換する第１の光電変換手段と第２の光電変換手段と、上記第１の光電変換手段によって変換された電気信号から撮影データを取得する撮影データ取得手段と、その撮影データ取得手段によって取得した撮影データを記憶媒体に記憶する記憶手段と、上記第２の光電変換手段によって変換された電気信号から時間的に変化する光パターンを認識する光パターン認識手段と、その光パターン認識手段によって認識した光パターンに基づいて撮影機能を制限する撮影機能制限手段を備えた撮影装置。
（２）上記のような撮影装置において、撮影対象の発光物から発光される光を受光する受光手段と、その受光手段によって受光した光を光束分割して上記第１の光電変換手段と上記第２の光電変換手段にそれぞれ入射させる光束分割手段を設けた撮影装置。
【０００６】
（３）上記のような撮影装置において、上記撮影機能制限手段を、上記撮影データ取得手段による撮影データの取得を無効にする手段にするとよい。
（４）上記のような撮影装置において、上記撮影機能制限手段を、上記記憶手段による記憶媒体への撮影データの記憶を行わせないようにする手段にするとよい。
（５）上記のような撮影装置において、上記撮影機能制限手段による撮影機能の制限内容を表示する表示手段を設けるとよい。
（６）上記のような撮影装置において、上記撮影機能制限手段に、撮影時のフラッシュの発光を禁止する手段を設けるとよい。
【発明の効果】
【０００７】
この発明による撮影装置は、時間的に変化する光パターンを発光する撮影対象に対して撮影機能を制限することができる。
【発明を実施するための最良の形態】
【０００８】
以下、この発明を実施するための最良の形態を図面に基づいて具体的に説明する。
〔実施例〕
図１は、この発明の撮影装置の実施例であるデジタルカメラの主要な機能構成を示すブロック図である。
このデジタルカメラは、撮影対象（被写体）である映画のスクリーン、液晶ディスプレイの画面、プロジェクタ投影画面から照射される映像又は画像の光がレンズ１に入射されると、レンズ１に入射した撮影対象からの光を、プリズムを含む光束分割部２によって画像全体の輝度を分離後に光束分割して映像又は画像の撮影用の電荷結合素子（ＣＣＤ）３と光パターン認識用の受光素子９にそれぞれ入射させる。すなわち、上記光束分割部２は光束分割手段の機能を果たす。
【０００９】
ＣＣＤ３は、入射された映像又は画像の光をアナログ電気信号（アナログ信号）に変換してアナログ・デジタル変換部（図中「Ａ／Ｄ」と記す）４へ出力する。すなわち、ＣＣＤ３は第１の光電変換手段の機能を果たす。
Ａ／Ｄ４は、ＣＣＤ３から入力したアナログ信号をデジタル電気信号（デジタル信号）に変換して画像処理部５へ出力する。
画像処理部５は、ＣＰＵ１５を介してＲＡＭ１２を作業領域であるバッファとして用いて、Ａ／Ｄ４から入力したデジタル信号を色差（Ｃｒ，Ｃｂ）と輝度（Ｙ）に分けてそれぞれ各種の処理と補正と画像圧縮伸長の処理を施し、画像処理後の映像データ又は画像データの撮影データをＲＡＭ１２に蓄積する。
フラッシュ６は、ＣＰＵ１５からの指示によって撮影時に撮影対象に対して発光を行う。
【００１０】
ＣＰＵ１５は、ＲＡＭ１２に蓄えられた撮影データに基づく映像又は画像を液晶表示部１４に表示すると共に、メモリカード制御部７によってＲＡＭ１２に蓄えられた圧縮された撮影データをメモリカード８に書き込む処理を行う。
すなわち、Ａ／Ｄ４，画像処理部５，ＲＡＭ１２，ＣＰＵ１５が、撮影データ取得手段の機能を果たし、メモリカード制御部７，ＣＰＵ１５が、記憶手段の機能を果たす。
【００１１】
一方、光パターン認識用の受光素子９は、レンズ１から入射された光をアナログ電気信号に変換してＡ／Ｄ１０へ出力する。すなわち、受光素子９は第２の光電変換手段の機能を果たす。
Ａ／Ｄ１０は、受光素子９から入力したアナログ信号をデジタル信号に変換して光パターン認識部１１へ出力する。
光パターン認識部１１は、Ａ／Ｄ１０から入力したデジタル信号から時間的に変化する光パターンを認識し、その認識した光パターンのパケットデータをＣＰＵ１５へ出力する。すなわち、光パターン認識部１１は光パターン認識手段の機能を果たす。
【００１２】
ＣＰＵ１５は、光パターン認識部１１から入力したパケットデータに基づいて、このデジタルカメラの撮影機能を制限する処理を行う。すなわち、ＣＰＵ１５は撮影機能制限手段の機能を果たす。
操作部１３は、ユーザが操作する操作ボタンやダイヤルからの操作内容を検知し、その検知した操作内容に応じた操作情報をＣＰＵ１５へ出力し、ＣＰＵ１５は、操作部１３から入力した操作情報に応じて、デジタルカメラの撮影開始や撮影モード設定を含む各種の動作を実行する。
このデジタルカメラは、ＣＰＵ１５が、ユーザによってデジタルカメラが撮影状態にされ、レンズ１から入射した撮影対象の光に基づく上記パケットデータを入力し、そのパケットデータの制御ＩＤ２３の内容に応じた撮影機能を制限する処理を実行する。
【００１３】
図２の（ａ）は、図１に示すＡ／Ｄ１０から出力される光パターンを示すデジタルデータの信号波形例を示す図であり、図２の（ｂ）は、図１に示す光パターン認識部１１で認識された光パターンに対応するパケットデータのフォーマット例を示す図である。
まず、撮影対象から発光される光中には、予めデジタルカメラに撮影を制限する識別情報を含む信号が含まれている。
Ａ／Ｄ１０は、撮影対象から発光される光中の光パターンに応じたデジタルデータであるシリアルデータ（シリアルな２値信号）を出力する。
例えば、図２の（ａ）に示すように、６２．５Ｋｂｐｓの伝送速度に対応したシリアルな２値信号である「１１００１……」を光パターン認識部１１へ出力する。
【００１４】
光パターン認識部１１は、Ａ／Ｄ１０から入力したシリアルデータから光パターンを認識し、その光パターン中のデジタルカメラに撮影を制限する識別情報を含む信号を認識し、その認識した結果をパケットデータにしてＣＰＵ１５へ出力する。
例えば、図２の（ｂ）に示すように、同期信号ＳＹＮ２０，２２，２４，２６の間に、フレームの先頭を示すヘッダ２１、デジタルカメラの撮影機能を制限する制御内容を指示する制御ＩＤ２３、その制御ＩＤ２３によって指示された制御内容によって制限される撮影機能の内容を液晶表示部１４に表示する表示データ２５、パケットの終端を示すフッタ２７を含む各種データを格納したパケットデータを作成し、ＣＰＵ１５へ出力する。
上記制御ＩＤは、デジタルカメラに撮影を制限させるための識別情報であり、例えば、撮影を禁止させたり、撮影は許可するがフラッシュの発光を禁止させたりする識別情報である。
【００１５】
また、上記表示データは、制御ＩＤの示す識別情報の内容を知らせるメッセージの表示データであり、例えば、撮影禁止を知らせるメッセージや、フラッシュの使用の禁止を知らせるメッセージの表示データである。
上記表示データは、制御ＩＤが撮影機能のいずれかを制限するものではないときには、空欄にしても良いが、その場合に撮影が可能であることを示すメッセージデータにすれば、ＣＰＵ１５が、その表示データに基づいて液晶表示部に撮影を許可するメッセージ、あるいは撮影が可能なことを示すメッセージを表示することができる。
【００１６】
次に、このデジタルカメラの撮影時の処理を説明する。
図３は、図１に示すデジタルカメラの撮影時のＣＰＵの処理を示すフローチャート図である。
まず、このデジタルカメラの撮影対象の発する映像や画像の光中には、デジタルカメラの撮影を制限する内容の識別情報を含んだ光パターンが含まれている。
例えば、液晶ディスプレイのバックライトの光量を変化させて光パターンを作る。
ユーザによってデジタルカメラの電源がオンにされ、撮影対象にレンズ１が向けられると、レンズ１に撮影対象が発する光が入射され、レンズ１はその光を受光し、その光をＡ／Ｄ１０がアナログ信号からデジタル信号に変換して光パターン認識部１１に入力する。
光パターン認識部１１は、Ａ／Ｄ１０から入力したシリアルデータから光パターンを認識し、その認識結果から上記のようなパケットデータを作成してＣＰＵ１５へ出力する。
【００１７】
図３に示すように、ＣＰＵ１５は、ステップ（図中「Ｓ」で示す）１で、光パターン認識部から入力した光パターンのパケットデータから制御ＩＤを取得し、ステップ２で操作部の撮影ボタンが押されたか否かを判断し、撮影ボタンが押されなければ、ステップ１の処理へ戻り、撮影ボタンが押されたら、ステップ３で、上記取得した制御ＩＤが撮影機能を制限する内容か否かを判断する。
ステップ２の判断で、制御ＩＤが撮影機能を制限する内容でなければ、ステップ４で、このデジタルカメラに備わるいずれの撮影機能にも制限を加えずに通常の撮影処理を実行し、この処理を終了する。
一方、ステップ２の判断で制御ＩＤが撮影機能を制限する内容ならば、ステップ５で、制御ＩＤによって示される撮影機能を利用できなくして撮影を制限する撮影機能制限処理を実行し、ステップ６で、液晶表示部にパケットデータの表示データに基づくメッセージを表示し、この処理を終了する。
【００１８】
上記撮影機能制限処理としては、ＣＰＵ１５は、制御ＩＤが撮影禁止を示す内容の場合、ＣＣＤ３の機能を停止させて、撮影ボタンが押されたときにＣＣＤ３に入力した光を光電変換しないようにして撮影を禁止すると良い。
また、ＣＰＵ１５は、制御ＩＤが撮影禁止を示す内容の場合、画像処理部５の機能を停止させて、撮影データを取得できないようにして撮影を禁止するようにしても良いし、ＲＡＭ１２に撮影データを記憶しないようにして撮影を禁止するようにしても良いし、メモリカード制御部７の機能を停止させて、メモリカード８に撮影データを記憶しないようにして撮影を禁止するようにしても良い。
さらに、ＣＰＵ１５は、制御ＩＤがフラッシュの使用を禁止する内容の場合、撮影自体は可能にするが、フラッシュ６の発光を禁止する。
【００１９】
このようにして、映画のスクリーン、液晶ディスプレイの画面、プロジェクタ投影画面を含む撮影対象にレンズが向けられた場合、その撮影対象の撮影データを取得したり記憶したりすることができなくして撮影禁止にしたり、撮影機能の一部の機能（例えば、フラッシュの使用）の使用をできなくすることができ、ユーザに対して必要以上にデジタルカメラの利用制限を課さずに済み、ユーザの利便を図ることができる。
【００２０】
そして、ＣＰＵ１５は、上記撮影機能制限処理と共に、パケットデータ内の表示データに基づいて液晶表示部１４にメッセージを表示する。
例えば、制御ＩＤが撮影禁止を示す内容の場合、表示データに撮影禁止のメッセージのデータを格納するようにすれば、図４に示すように、液晶表示部１４の画面にメッセージ「撮影が禁止されています。」を表示することができる。
したがって、デジタルカメラの使用者に、撮影が禁止されていることを知らせて注意を促すことができる。
また、制御ＩＤがフラッシュの使用の禁止を示す内容の場合、表示データにフラッシュ使用禁止のメッセージのデータを格納するようにすれば、図５に示すように、液晶表示部１４の画面にメッセージ「フラッシュの使用が禁止されています。」を表示することができる。
したがって、デジタルカメラの使用者に、フラッシュの使用が禁止されていることを知らせて注意を促すことができる。
【００２１】
このデジタルカメラによれば、撮影対象から発せられる時間的に変化する光パターンを検知して、その光パターンの内容に応じて撮影機能を制限することにより、撮影をすることを禁止された撮影対象の映像や画像の撮影を禁止させたり、フラッシュの使用を禁止させたりすることができる。
その際、撮影対象が発する可視光（例えば、ディスプレイの画像そのもの）に基づいて撮影機能を制限させるか否かを判断するので、撮影対象の装置に、例えば赤外線発生手段等の別の検知手段を設ける必要がなく、撮影対象の装置のデザインを損ねるようなデメリットがなくなる。
【００２２】
また、同一の光取得口より入射した撮影対象からの光を光束分割してＣＣＤと受光素子に供給するので、撮影対象のみから供給される撮影制御情報を用い、撮影機能を制限することができる。
さらに、撮影が禁止されていることを示すメッセージを表示して使用者に知らせることにより、装置の不具合で撮影ができないのではなく、撮影が禁止されている画像を撮影しようとしたために撮影ができないことを使用者に知らせることができる。
【産業上の利用可能性】
【００２３】
この発明による撮影装置は、デジタルスチルカメラ、デジタルビデオカメラ、そのデジタルスチルカメラ又はデジタルビデオカメラによる撮影手段を内蔵した携帯通信端末装置を含む撮影装置全般に適用することができる。
【図面の簡単な説明】
【００２４】
【図１】この発明の撮影装置の実施例であるデジタルカメラの主要な機能構成を示すブロック図である。
【図２】光パターンを示すデジタルデータの信号波形例と光パターンに対応するパケットデータのフォーマット例を示す図である。
【図３】図１に示すデジタルカメラの撮影時のＣＰＵの処理を示すフローチャート図である。
【図４】図１に示す液晶表示部に表示したメッセージの一例を示す図である。
【図５】同じく図１に示す液晶表示部に表示したメッセージの一例を示す図である。
【図６】デジタルカメラで撮影対象を撮影するときの説明図である。
【符号の説明】
【００２５】
１：レンズ    ２：光束分割部    ３：ＣＣＤ    ４，１０：Ａ／Ｄ    ５：画像処理部    ６：フラッシュ    ７：メモリカード制御部    ８：メモリカード    ９：受光素子    １１：光パターン認識部    １２：ＲＡＭ    １３：操作部    １４：液晶表示部    １５：ＣＰＵ    ２０，２２，２４，２６：同期信号ＳＹＮ    ２１：ヘッダ    ２３：制御ＩＤ    ２５：表示データ    ２７：フッタ
【図１】
2009177254.tif 000003
【図２】
2009177254.tif 000004
【図３】
2009177254.tif 000005
【図４】
2009177254.tif 000006
【図５】
2009177254.tif 000007
【図６】
2009177254.tif 000008